【手続補正書】
【提出日】平成20年9月12日(2008.9.12)
【手続補正１】
【補正対象書類名】明細書
【補正対象項目名】発明の名称
【補正方法】変更
【補正の内容】
【発明の名称】携帯端末用クレイドル、及びその制御方法、並びに記憶媒体
【手続補正２】
【補正対象書類名】明細書
【補正対象項目名】特許請求の範囲
【補正方法】変更
【補正の内容】
【特許請求の範囲】
【請求項１】  携帯端末用のクレイドルであって、
携帯端末と接続可能な接続手段と、
ユーザが印刷の実行を指示するための指示手段と、
前記指示手段による指示に応じて、前記接続手段を介して接続された携帯端末に予め設定されている印刷情報を出力するよう、前記携帯端末に要求する出力要求手段と、
前記出力要求手段による要求に対する応答に基づいて、前記携帯端末に前記印刷情報が設定されているか否かを判別する判別手段と、
前記出力要求手段による要求に応答して前記携帯端末から送信された前記印刷情報に基づいて、印刷処理を行う印刷手段と、
前記判別手段による判別に応じて、ユーザに対して前記印刷情報がないことを通知するよう、前記携帯端末に要求する通知要求手段と、
を有することを特徴とするクレイドル。
【請求項２】  前記携帯端末は、画像を電子的に撮像可能であり、
前記印刷情報は、前記携帯端末により撮像された画像であることを特徴とする請求項１記載のクレイドル。
【請求項３】  前記印刷情報は、印刷を要求されたＵＲＬであることを特徴とする請求項１記載のクレイドル。
【請求項４】  前記指示手段により印刷の実行が指示されると、前記携帯端末に前記ＵＲＬのオブジェクトを要求し、該要求に応じて前記携帯端末から送信されたオブジェクトを印刷することを特徴とする請求項３記載のクレイドル。
【請求項５】  前記印刷手段による印刷処理中にエラーが発生すると、該エラーの警告を行うように前記携帯端末に要求することを特徴とする請求項１記載のクレイドル。
【請求項６】  前記印刷手段により印刷処理が終了した印刷情報の削除が予め指定されているか否かを判断する判断手段と、
前記判断手段による判断に応じて、該当する印刷情報を印刷処理の終了後に削除する削除手段と、
を有することを特徴とする請求項１記載のクレイドル。
【請求項７】  前記印刷手段により印刷処理が終了した印刷情報の保存が予め指定されているか否かを判断する判断手段と、
前記判断手段による判断に応じて、該当する印刷情報を印刷処理の終了後に所定の記憶媒体に保存する保存手段と、
を有することを特徴とする請求項１記載のクレイドル。
【請求項８】  前記接続手段により前記携帯端末と接続されると、前記携帯端末を充電する充電手段を有することを特徴とする請求項１記載のクレイドル。
【請求項９】  携帯端末との接続部を有するクレイドルの制御方法であって、
ユーザによる印刷の実行の指示入力を検出する検出工程と、
前記検出工程における検出に応じて、前記接続部を介して接続された携帯端末に予め設定されている印刷情報を出力するよう、前記携帯端末に要求する出力要求工程と、
前記出力要求工程における要求に対する応答に基づいて、前記携帯端末に前記印刷情報が設定されているか否かを判別する判別工程と、
前記出力要求工程における要求に応答して前記携帯端末から送信された前記印刷情報に基づいて、印刷処理を行う印刷工程と、
前記判別工程における判別に応じて、ユーザに対して前記印刷情報がないことを通知するよう、前記携帯端末に要求する通知要求工程と、
を有することを特徴とするクレイドルの制御方法。
【請求項１０】  請求項９記載の制御方法の各工程をコンピュータに実行させるためのコンピュータプログラムが記憶された記憶媒体。
【手続補正３】
【補正対象書類名】明細書
【補正対象項目名】０００１
【補正方法】変更
【補正の内容】
【０００１】
【発明の属する技術分野】
本発明は、携帯端末用クレイドル、及びその制御方法、並びに記憶媒体に関し、特に、インターネットへ接続可能な携帯電話等の携帯端末やデジタルカメラ機能を有するＰＤＡ等の携帯端末に接続可能であるインターフェース部と、接続された携帯端末の印刷情報を印刷するプリンタ部と、印刷を指定する指定部と、接続された携帯端末に充電可能な電力供給部とを有し、携帯端末接続時に、簡単な指定操作で、予め携帯端末で予約された印刷情報を印刷する機能を有する携帯端末用クレイドル、及びその制御方法、並びに記憶媒体に関する。
【手続補正４】
【補正対象書類名】明細書
【補正対象項目名】０００８
【補正方法】変更
【補正の内容】
【０００８】
本発明は、携帯端末に予め設定された印刷情報に基づく印刷を簡単な印刷開始指示操作により実行できる携帯端末用クレイドル、及びその制御方法、並びに記憶媒体を提供することを目的とする。
【手続補正５】
【補正対象書類名】明細書
【補正対象項目名】０００９
【補正方法】変更
【補正の内容】
【０００９】
【課題を解決するための手段】
上記目的を達成するために、本発明は、携帯端末用のクレイドルであって、携帯端末と接続するために接続手段と、ユーザが印刷の実行を指示するための指示手段と、前記指示手段による指示に応じて、前記接続手段を介して接続された携帯端末に予め設定されている印刷情報を出力するよう、前記携帯端末に要求する出力要求手段と、前記出力要求手段による要求に対する応答に基づいて、前記携帯端末に前記印刷情報が設定されているか否かを判別する判別手段と、前記出力要求手段による要求に応答して前記携帯端末から送信された前記印刷情報に基づいて、印刷処理を行う印刷手段と、前記判別手段による判別に応じて、ユーザに対して前記印刷情報がないことを通知するよう、前記携帯端末に要求する通知要求手段と、を有することを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００８３
【補正方法】変更
【補正の内容】
【００８３】
以上詳細に説明したように、上記実施形態における携帯端末用クレイドル形式プリンタ装置は、その接続部に携帯端末が接続され、且つその印刷指示キーが押下されたときに、携帯端末に予め予約されていた印刷情報に基づいて所定の画像を印刷するので、携帯電話に予め予約された印刷情報に基づいて所定の画像の印刷を簡単な印刷開始指示操作により実行できる。
【手続補正３１】
【補正対象書類名】明細書
【補正対象項目名】００８４
【補正方法】変更
【補正の内容】
【００８４】
また、携帯端末で電子的に撮像された静止画像のうち印刷が所望された静止画像を所定の画像として印刷するために、この印刷が所望された静止画像の画像データを印刷情報として予約するので、デジタルカメラ等の機能を備えた携帯端末に予め予約された静止画像の印刷を容易に実行できる。
【手続補正３２】
【補正対象書類名】明細書
【補正対象項目名】００８５
【補正方法】変更
【補正の内容】
【００８５】
また、所定の画像は、携帯端末により表示されたオブジェクトのうち印刷が所望されたオブジェクトであって、印刷情報は、この印刷が所望されたオブジェクトのＵＲＬであるので、インターネット接続機能を備えた携帯端末に予め予約されたＵＲＬに基づいて、そのＵＲＬのオブジェクトの印刷を容易に実行できる。
【手続補正３３】
【補正対象書類名】明細書
【補正対象項目名】００８６
【補正方法】変更
【補正の内容】
【００８６】
また、印刷指示キーが押下されたときに印刷情報の種類がＵＲＬであると判別すると、携帯端末に印刷情報として予約されたＵＲＬのオブジェクトを送信するよう指示するので、インターネット接続機能を備えた携帯端末に予め予約されたＵＲＬに基づいて、そのＵＲＬのオブジェクトの印刷を容易且つ確実に実行できる。
【手続補正３４】
【補正対象書類名】明細書
【補正対象項目名】００８７
【補正方法】変更
【補正の内容】
【００８７】
また、携帯端末で予め予約された印刷情報に基づいて所定の画像を印刷している途中でエラーが発生したときに、携帯端末の表示装置又は警報装置によるエラー情報の出力指示をするので、ユーザに印刷中エラーが発生したことを報知することができる。
【手続補正３５】
【補正対象書類名】明細書
【補正対象項目名】００８８
【補正方法】変更
【補正の内容】
【００８８】
また、印刷中に生じたエラーの解除指示が携帯端末の操作部で行われたときにエラーを解除するので、確実に印刷中の生じたエラーの解除を行うことができる。
【手続補正３６】
【補正対象書類名】明細書
【補正対象項目名】００８９
【補正方法】変更
【補正の内容】
【００８９】
また、携帯端末に予約されていた印刷情報に基づく所定の画像の印刷が正常に終了し、且つユーザが携帯端末の操作部で所定の画像の印刷終了後にその印刷情報を削除する指定を予め行っていたときは、携帯端末に印刷情報を削除するよう指示するので、すでに印刷が終了したにも関わらず、再度この印刷情報に基づいて印刷が行われることを防ぐことができる。
【手続補正３７】
【補正対象書類名】明細書
【補正対象項目名】００９０
【補正方法】変更
【補正の内容】
【００９０】
また、携帯端末に予約されていた印刷情報に基づく所定の画像の印刷が正常に終了し、且つユーザが携帯端末の操作部で所定の画像の印刷終了後にその印刷情報を保存する指定を予め行っていたときは、携帯端末に印刷情報を保存するよう指示するので、すでに印刷が終了したときであっても、ユーザはその保存された印刷情報に基づいて適宜印刷を行うことができる。
【手続補正３８】
【補正対象書類名】明細書
【補正対象項目名】００９１
【補正方法】変更
【補正の内容】
【００９１】
また、携帯端末が他の接続部に接続されているときに携帯端末を充電するので、容易に携帯端末の充電を行うことができる。
【手続補正３９】
【補正対象書類名】明細書
【補正対象項目名】００９２
【補正方法】変更
【補正の内容】
【００９２】
また、データ通信用の接続部と、携帯端末充電用の接続部は一体化しているため、携帯端末で予め予約された印刷情報に基づく所定の画像の印刷処理及び携帯端末の充電を容易に行うことができる。
【手続補正４０】
【補正対象書類名】明細書
【補正対象項目名】００９３
【補正方法】変更
【補正の内容】
【００９３】
また、携帯端末が接続部に接続され、且つ印刷指示キーが押下されたとき、印刷情報を格納するので、大量の印刷情報を携帯端末より該メモリに転送し印刷を行う処理や、メモリに転送された印刷情報をユーザの指定により保存したり、削除したりすることができる。
【発明の効果】
以上説明したように、本発明によれば、クレイドルに接続された携帯端末に予め設定されている印刷情報を簡易な操作により印刷することができると共に、携帯端末に印刷情報が設定されていない場合は、印刷情報がないことをユーザに通知することができる。